(57)【特許請求の範囲】
【請求項１】
平面視で略矩形状であって少なくとも一方向の一端部である本体底部および前記一方向と垂直な方向である他方向の一端である本体背部が閉塞されたホルダ本体と、
一枚のシート体が折り曲げられて形成され前記ホルダ本体内に取り付けられた内部ポケットと、を具備し、
この内部ポケットの内側に内側収納部が形成され、前記ホルダ本体の内側面と前記内部ポケットの外側面とにより外側収納部が形成され、
前記内部ポケットは、前記シート体が折り曲げられて折線が形成された状態にてこの折線に接する縁部のいずれかが前記本体背部に固定されて、前記折線にて前記内側収納部の底部が形成され、この底部が前記ホルダ本体内でこのホルダ本体に対して移動可能である
ことを特徴とする収納用ホルダ。
【請求項２】
内部ポケットは、第１面シートと第２面シートとが第１折線を介して連続して設けられ、第３面シートと第４面シートとが第２折線を介して連続して設けられ、第２面シートと第３面シートとが第３折線を介して連続して設けられた１枚のシート体にて形成され、
内側収納部は、第１収納部と第２収納部と第３収納部とを有し、
前記シート体は、前記第１折線にて前記第１面シートと前記第２面シートとが対向するように折り曲げられ、かつ、前記第２折線にて前記第３面シートと前記第４面シートとが対向するように折り曲げられ、かつ、前記第３折線にて前記第２面シートと前記第３面シートとが対向するように折り曲げられ、前記第１折線が第１収納部の底部になるとともに前記第１面シートおよび前記第２面シートが前記第１収納部の側面になり、前記第２折線が第２収納部の底部になるとともに前記第３面シートおよび前記第４面シートが前記第２収納部の側面になり、前記第２面シートおよび第３面シートが前記第３収納部の側面になり、前記第１面シートおよび第４面シートが前記内部ポケットの外側面になる
ことを特徴とする請求項１記載の収納用ホルダ。
【請求項３】
ホルダ本体は、厚みの異なる第１表面部と第２表面部とを有し、
前記第２表面部の厚みは、前記第１表面部の厚みの少なくとも３倍である
ことを特徴とする請求項１または２記載の収納用ホルダ。
【発明の詳細な説明】
【技術分野】
【０００１】
本発明は、例えば、書類、カードおよび小冊子等の被収納物を収納する収納用ホルダに関する。
【背景技術】
【０００２】
従来、この種の収納用ホルダとしては、２つの側面部材と、これら側面部材が接続した底部としての幅広部と、前記２つの側面部材の間に位置し、端部が幅広部に溶着された２つの仕切り部材とを備え、一方の側面部材と一方の仕切り部材との間、２つの仕切り部材の間および他方の側面部材と他方の仕切り部材との間に、被収納物が収納される構成のものが知られている（例えば、特許文献１参照。）。
【先行技術文献】
【特許文献】
【０００３】
【特許文献１】実用新案登録第３０７２８３１号公報（第４−７頁、図１）
【発明の概要】
【発明が解決しようとする課題】
【０００４】
しかしながら、上述した特許文献１の構成では、仕切り部材の端部が底部に溶着され、被収納物が収納されるスペースが決められているため、収納可能な被収納物の厚みが予め設定されており、この設定された厚みを超える被収納物が収納された場合、幅広部近傍で側面部材や仕切部材が折れ曲がってしまい、被収納物の保持性が悪化するなどの問題が考えられ、様々な厚みの被収納物を収納しにくい。
【０００５】
本発明はこのような点に鑑みなされたもので、様々な厚みの被収納物を収納しやすい収納用ホルダを提供することを目的とする。
【課題を解決するための手段】
【０００６】
本発明は、平面視で略矩形状であって少なくとも一方向の一端部である本体底部および前記一方向と垂直な方向である他方向の一端である本体背部が閉塞されたホルダ本体と、一枚のシート体が折り曲げられて形成され前記ホルダ本体内に取り付けられた内部ポケットと、を具備し、この内部ポケットの内側に内側収納部が形成され、前記ホルダ本体の内側面と前記内部ポケットの外側面とにより外側収納部が形成され、前記内部ポケットは、前記シート体が折り曲げられて折線が形成された状態にてこの折線に接する縁部のいずれかが前記本体背部に固定されて、前記折線にて前記内側収納部の底部が形成され、この底部が前記ホルダ本体内でこのホルダ本体に対して移動可能であるものである。
【発明の効果】
【０００７】
本発明によれば、内部ポケットは、折線にて形成された底部がホルダ本体内でこのホルダ本体に対して移動可能であるから、被収納物の厚みに応じて、ホルダ本体内で内側収納部を移動でき、様々な厚みの被収納物を収納しやすい。
【図面の簡単な説明】
【０００８】
【図１】本発明の収納用ホルダにおける第１の実施の形態を示す平面図である。
【図２】同上収納用ホルダにおける一部を省略した斜視図である。
【図３】同上収納用ホルダにおける一部を省略した断面図である。
【図４】同上収納用ホルダの内部ポケットを形成するシート体を示す斜視図である。
【図５】本発明の収納用ホルダにおける第２の実施の形態を示す平面図である。
【図６】同上収納用ホルダにおける一部を省略した斜視図である。
【図７】同上収納用ホルダの内部ポケットを形成するシート体を示す斜視図である。
【図８】同上収納用ホルダにおける一部を省略した断面図である。
【発明を実施するための形態】
【０００９】
以下、本発明の第１の実施の形態の構成について図１ないし図４を参照しながら詳細に説明する。
【００１０】
図１において、１は収納用ホルダであり、この収納用ホルダ１は、平面視で略矩形状のホルダ本体２と、このホルダ本体２に収容され、平面視でホルダ本体２と同様の略矩形状の内部ポケット３とを備えている。
【００１１】
ホルダ本体２は、例えばポリプロピレンなどの合成樹脂や紙などにて形成された略矩形状の第１表面部４および第２表面部５を有している。
【００１２】
また、ホルダ本体２は、第１表面部４の長手方向の一端部である辺４ａと第２表面部５の長手方向の一端部である辺５ａとが接続されて本体底部６が形成され、この本体底部６に接する第１表面部４の幅方向の一端部である辺４ｂと第２表面部５の幅方向の一端部である辺５ｂとが接続されて本体背部７が形成されている。
【００１３】
さらに、ホルダ本体２は、本体底部６に対向する方向および本体背部７に対向する方向の２方向へ向かって開口された本体開口部８が設けられている。この本体開口部８は、本体底部６に対向する第１表面部４の長手方向の他端部である辺４ｃと第２表面部５の長手方向の他端部である辺５ｃとにより第１本体開口縁部１１が形成され、本体背部７に対向する第１表面部４の幅方向の他端部である辺４ｄと第２表面部５の幅方向の他端部である辺５ｄとにより第２本体開口縁部１２が形成されている。
【００１４】
また、ホルダ本体２は、第１表面部４および第２表面部５の幅方向の他端部における本体底部６側の一部に、辺４ｄの一部と辺５ｄの一部とが接続されて保持部１３が形成されている。
【００１５】
したがって、ホルダ本体２は、本体底部６、本体背部７および保持部１３にて、第１表面部４と第２表面部５とが接続されて閉塞されている。
【００１６】
ホルダ本体２は、第１表面部４の厚みと第２表面部５の厚みとが異なり、第２表面部５の厚みは、第１表面部４の厚みの約３倍である。具体的には、例えば、第２表面部５は、ホルダ本体２上に紙などを載せて筆記する際に筆記しやすいように紙を保持できる硬さであり、第１表面部４は、被収納物を出し入れする際に第１表面部４をめくりやすい硬さである。
【００１７】
第１表面部４は、幅方向の長さおよび長手方向の長さが第２表面部５の長手方向の長さよりやや短く形成され、第１表面部４における第１本体開口縁部１１すなわち辺４ｃの本体背部７側には、辺４ｃから本体底部６とは反対側へ第２表面部５の辺５ｃに沿うように突出した略矩形状の見出し片１４が設けられ、第１表面部４における第２本体開口縁部１２すなわち辺４ｄの本体底部６側には、辺４ｄから本体背部７とは反対側へ第２表面部５の辺５ｄに沿うように突出した略矩形状の見出し片１５が設けられている。
【００１８】
第２表面部５は、第１本体開口縁部１１すなわち辺５ｃの本体背部７側であり、第１表面部４の見出し片１４に対応する位置に、第２本体開口縁部１２から凹弧状の図示しない切欠部が設けられている。
【００１９】
図２に示すように、内部ポケット３は、内側収納部２１を有している。この内側収納部２１は、本体底部６に対応した底部２２、本体背部７に対応した背部２３、および本体開口部８に対応した開口部２４が設けられている。
【００２０】
内部ポケット３は、内側収納部２１の背部２３が本体背部７に溶着されてホルダ本体２に取り付けられている。一方、図３に示すように、底部２２は本体底部６に接しておらず、内側収納部２１の底部２２がホルダ本体２内、すなわち第１表面部４と第２表面部５との間でホルダ本体２に対して移動可能である。
【００２１】
内部ポケット３は、図４に示す１枚のシート体２５にて形成されている。このシート体２５は、例えばポリプロピレンなどの合成樹脂などにて形成され、第１表面部４より厚みが薄い。また、シート体２５は、略矩形状の第１面シート２６および第２面シート２７と、直線状の第１折線２８とを有し、第１面シート２６および第２面シート２７は第１折線２８を介して連続して設けられている。
【００２２】
シート体２５は、第１折線２８にて折曲可能であり、図４に示す展開状態から、第１折線２８にて第１面シート２６と第２面シート２７とが対向するように折り曲げられた折曲状態に変形可能である。
【００２３】
折曲状態のシート体２５は、第１折線２８が内側収納部２１の底部２２になり、第１面シート２６および第２面シート２７が内側収納部２１の側面になるとともに内部ポケット３の外側面になる。すなわち、第１面シート２６と第２面シート２７との間に内側収納部２１が形成される。また、折曲状態のシート体２５は、第１面シート２６の幅方向の一端部がホルダ本体２の本体背部７の内側に溶着されることにより、ホルダ本体２に固定して取り付けられる。さらに、このようにホルダ本体２に固定されたシート体２５は、折曲状態に保持され、第１面シート２６および第２面シート２７における第１折線２８に対向する長手方向の端部にて形成される第１開口縁部３１と、第１面シート２６および第２面シート２７の幅方向の他端部にて形成される第２開口縁部３２とにより２方向に開口した開口部２４が形成される。なお、本体背部７に溶着された第１面シート２６の幅方向の一端部と、第２面シート２７の幅方向の一端部とは接続されておらず、また第２面シート２７の幅方向の一端部はホルダ本体２に接続されておらず、本体背部７にて内側収納部２１の背部２３が構成される。
【００２４】
第１面シート２６および第２面シート２７の幅方向の他端部である第２開口縁部３２には、背部２３とは反対側へ突出した略矩形状の見出し片３３，３４が設けられている。この見出し片３３，３４は、内部ポケット３をホルダ本体２に取り付けた状態において、先端部が第２本体開口縁部１２に沿うように突出して設けられている。また、第２開口縁部３２における見出し片３３，３４以外の部分は、内部ポケット３をホルダ本体２に取り付けた状態において、第２本体開口縁部１２より内側すなわち、本体背部７側に位置している。
【００２５】
第２本体開口縁部１２には、見出し片１５，３３，３４に対応する位置に凹弧状の切欠部３５が設けられている。
【００２６】
収納用ホルダ１は、ホルダ本体２に内部ポケット３を取り付けることにより、ホルダ本体２の内側面と内部ポケット３の外側面との間に外側収納部３６ａ，３６ｂが形成されている。すなわち、収納用ホルダ１は、第１表面部４と第１面シート２６との間に外側収納部３６ａが形成され、第２表面部５と第２面シート２７との間に外側収納部３６ｂが形成されている。
【００２７】
したがって、収納用ホルダ１は、被収納物の収納スペースとして、内部ポケット３の内側収納部２１、および内部ポケット３の両側に位置する外側収納部３６ａ，３６ｂの３つの収納スペースを有する。
【００２８】
次に、上記第１の実施の形態の作用を説明する。
【００２９】
収納用ホルダ１に被収納物を収納する際には、第１表面部４の第１本体開口縁部１１および第２本体開口縁部１２と、第２表面部５の第１本体開口縁部１１および第２本体開口縁部１２とを離間させるように、ホルダ本体２の本体開口部８を開口して、内部ポケット３、または外側収納部３６ａ，３６ｂに被収納物を挿入するように収納する。
【００３０】
ここで、内部ポケット３に被収納物を収納する場合は、見出し片３３または見出し片３４に指を引っ掛けるようにして、第１面シート２６の第１開口縁部３１および第２開口縁部３２と、第２面シート２７の第１開口縁部３１および第２開口縁部３２とを離間させて、開口部２４を開口し内側収納部２１に被収納物を収納する。なお、開口部２４を開口することにより、開口部２４および本体開口部８を同時に開口してもよい。
【００３１】
一方、外側収納部３６に被収納物を収納する場合は、見出し片１４、見出し片１５および見出し片３４のいずれかに指を引っ掛けるようにして、第１本体開口縁部１１および第２本体開口縁部１２を内部ポケット３から離間させて外側収納部３６ａ，３６ｂを開口し、被収納物を収納する。
【００３２】
そして、このような収納用ホルダ１によれば、内部ポケット３は、内側収納部２１の底部２２が本体底部６に接続されておらず、底部２２がホルダ本体２内、すなわち第１表面部４と第２表面部５との間でホルダ本体２に対して移動可能である。したがって、被収納物を収納する際に、被収納物の厚みに応じて内側収納部２１の底部２２を移動させて被収納物を収納でき、様々な厚みの被収納物を収納できる。
【００３３】
具体的には、例えば書類やカードなどの比較的薄い被収納物を収納する場合は、本体開口部８や開口部２４を開口してそのまま内側収納部２１または外側収納部３６ａ，３６ｂに被収納物を収納すると、被収納物の保持力が良好であり、収納用ホルダ１内で被収納物が移動しにくいので、収納用ホルダ１を持ち運ぶ際などに収納用ホルダ１から被収納物が飛び出しにくい。一方、例えば冊子や書類の束などの比較的厚い被収納物を外側収納部３６ａに収納する場合は、ホルダ本体２内において、内側収納部２１の底部２２を背部２３を基点に第２表面部５側に移動させ、外側収納部３６ａの幅を大きくして、この外側収納部３６ａに被収納物を収納できるので、収納用ホルダ１の収納空間を最大限に利用できる。また、厚い被収納物を収納することよる、ホルダ本体２の本体底部６近傍や内側収納部２１の底部２２近傍の変形を防止できるので、収納された被収納物に替えて他の被収納物を収納する際でも保持力が良好である。なお、比較的厚い被収納物を外側収納部３６ｂに収納する場合は、内側収納部２１の底部２２を背部２３を基点に第１表面部４側に移動させて、外側収納部３６ｂの幅を大きくすればよい。
【００３４】
内部ポケット３は、第１面シート２６と第２面シート２７とが第１折線２８を介して連続して設けられた１枚のシート体２５にて形成されたことにより、第１折線２８にて第１面シート２６と第２面シート２７とが対向するように折り曲げるだけで内部ポケット３を形成できる。すなわち、収納用ホルダ１は、折り曲げた１枚のシート体２５の一部をホルダ本体２に溶着することにより、ホルダ本体２に内部ポケット３を取り付けることができ、収納用ホルダ１を容易に製造できる。
【００３５】
また、第１面シート２６の幅方向の一端部を本体背部７の内側に溶着するだけで、内部ポケット３をホルダ本体２に対して固定するだけでなく、シート体２５を折曲状態に保持できるので、内部ポケット３を容易に形成できるとともに、内部ポケット３をホルダ本体２に取り付ける際の溶着箇所を抑えることができるので、溶着ミスなどによる製造不良を抑制し、製造コストの高騰を防止できる。
【００３６】
ホルダ本体２は、第２表面部５の厚みが第１表面部４の厚みより厚く、例えば第２表面部５の厚みが第１表面部４の厚みの約３倍で、第２表面部５は、例えばホルダ本体２上に紙などを載せて筆記する際に、筆記しやすいように紙を保持できる硬さであることにより、被収納物に例えばメモなどを書き込む際に紙を保持できるので、汎用性が良好であり、また、ホルダ本体２内の被収納物をより確実に保持でき、被収納物が外力の影響を受けにくくできる。
【００３７】
ホルダ本体２は、保持部１３が設けられたことにより、収納用ホルダ１を持ち運ぶ際等に、収納された被収納物が第２本体開口縁部１２側からホルダ本体２外へ飛び出しそうになっても、保持部１３にて保持されるので、被収納物をホルダ本体２外へ飛び出しにくくできる。
【００３８】
見出し片１４，１５，３３，３４や切欠部３５が設けられたことにより、開口部２４や本体開口部８を開口する際に開口しやすいので、被収納物を収納しやすい。
【００３９】
なお、収納用ホルダ１は、本体背部７と背部２３とを接続することにより、ホルダ本体２と内部ポケット３とが固定された構成としたが、このような構成には限定されず、内部ポケット３の第１折線２８以外の縁部がホルダ本体２に固定され、かつ、少なくとも内側収納部２１の底部２２である第１折線２８がホルダ本体２内で移動可能な構成であれば、その固定箇所は適宜設定できる。
【００４０】
ホルダ本体２は、第１本体開口縁部１１および第２本体開口縁部１２が設けられ、本体開口部８が２方向に開口した構成としたが、このような構成には限定されず、本体開口部８の開口方向は適宜設定できる。
【００４１】
また、ホルダ本体２は、第１表面部４の厚みと第２表面部５の厚みとが異なる構成にしたが、このような構成には限定されず、第１表面部４および第２表面部５の厚みが同じ構成にしてもよい。また、第１表面部４の厚みと第２表面部５の厚みとが異なる構成の場合、第２表面部５の厚みが第１表面部４の厚みの約３倍である構成には限定されず、第１表面部４および第２表面部５の厚みは適宜設定できる。
【００４２】
さらに、ホルダ本体２は、第１表面部４の長手方向の長さおよび幅方向の長さが第２表面部５の長手方向の長さおよび幅方向の長さより短い構成にしたが、このような構成には限定されず、例えば、第１表面部４と第２表面部５とが同一の大きさである構成にしてもよい。
【００４３】
ホルダ本体２および内部ポケット３は、ホルダ本体２と内部ポケット３とが同様の形状で同様の大きさである構成には限定されない。
【００４４】
内部ポケット３は、内側収納部２１の収納スペースが一つの構成には限定されず、収納スペースの数は適宜設定できる。
【００４５】
また、内部ポケット３は、第１開口縁部３１と第２開口縁部３２とが形成され、開口部２４が２方向に開口した構成にしたが、このような構成には限定されず、開口部２４の開口方向は適宜設定できる。
【００４６】
ホルダ本体２および内部ポケット３は、見出し片１４，１５，３３，３４および切欠部３５が設けられた構成には限定されず、見出し片１４，１５，３３，３４および切欠部３５が設けられていない構成等にしてもよい。
【００４７】
次に、第２の実施の形態について図５ないし図８を参照しながら説明する。なお、上記の実施の形態と同一の構成については、同一符号を付してその説明を省略する。
【００４８】
図５および図６に示すように、内部ポケット４１の内側収納部４２は、第１収納部４３、第２収納部４４および第３収納部４５を有している。
【００４９】
内部ポケット４１は、図７に示す１枚のシート体４６にて形成される。このシート体４６は、第１面シート４７、第２面シート４８、第３面シート４９および第４面シート５０を有している。また、シート体４６は、第１面シート４７と第２面シート４８とが第１折線５１を介して連続して設けられ、第３面シート４９と第４面シート５０とが第２折線５２を介して連続して設けられ、第２面シート４８と第３面シート４９とが第３折線５３を介して連続して設けられている。
【００５０】
シート体４６は、第１折線５１、第２折線５２および第３折線５３にて折曲可能である。このシート体４６は、図７に示す展開状態から、第１折線５１にて第１面シート４７と第２面シート４８とが対向するように折り曲げられ、かつ、第２折線５２にて第３面シート４９と第４面シート５０とが対向するように折り曲げられ、かつ、第３折線５３にて第２面シート４８と第３面シート４９とが対向し第１面シート４７および第４面シート５０が外側に位置するように折り曲げられた折曲状態に変形可能である。
【００５１】
折曲状態のシート体４６は、第１面シート４７の幅方向の一端部がホルダ本体２の本体背部７に溶着され、内部ポケット４１がホルダ本体２に取り付けられる。
【００５２】
図８に示すように、折曲状態のシート体４６は、第１折線５１が第１収納部４３の底部５４になるとともに、第１面シート４７および第２面シート４８が第１収納部４３の側面になる。また、第２折線５２が第２収納部４４の底部５５になるとともに、第３面シート４９および第４面シート５０が第２収納部４４の側面になる。さらに、第２面シート４８および第３面シート４９が第３収納部４５の側面になり、第１面シート４７および第４面シート５０が内部ポケット４１の外側面になる。第３収納部４５は、シート体４６にて底部が閉塞されておらず、ホルダ本体２の本体底部６が第３収納部４５の底部を構成する。
【００５３】
ここで、シート体４６において、第１面シート４７には見出し片５６が設けられ、第２面シート４８には見出し片５７が設けられ、第３面シート４９には見出し片５８が設けられ、第４面シート５０には見出し片５９が設けられている。さらに、第２表面部５の辺５ｄには、見出し片５６，５７，５８，５９に対応する位置に図示しない切欠部３５が設けられている。
【００５４】
また、ホルダ本体２に内部ポケット４１が取り付けられることにより、ホルダ本体２の内側面と内部ポケット４１の外側面との間に外側収納部３６ａ，３６ｂが形成されている。すなわち、第１表面部４と第１面シート４７との間に外側収納部３６ａが形成され、第２表面部５と第４面シート５０との間に外側収納部３６ｂが形成されている。
【００５５】
そして、内部ポケット４１は、１枚のシート体４６にて形成されることにより、容易に製造できるとともに、内側収納部４２において複数の収納スペースを設けることができるので、被収納物をより区別して収納できる。また、被収納物を区別し易いので、様々な厚みの被収納物を確実に収納できる。
【００５６】
なお、内側収納部４２は、第１収納部４３、第２収納部４４および第３収納部４５が設けられ、収納スペースが３つである構成には限定されず、収納スペースの数は適宜設定できる。
【００５７】
ここで、上記第２の実施の形態のように、ホルダ本体２内に１枚のシート体４６で形成した内部ポケット４１が設けられた構成にすることにより、例えばシート体４６の形状、シート体４６の折曲箇所およびシート体４６の折曲方法など、シート体４６の構成を変更するだけで収納スペースの数を変更できるので、収納スペースの数を変更する際の設計変更を容易にできる。
【符号の説明】
【００５８】
１    収納用ホルダ
２    ホルダ本体
３    内部ポケット
４    第１表面部
５    第２表面部
６ 本体底部
７ 本体背部
２１  内側収納部
２２  底部
２５  シート体
２６  第１面シート
２７  第２面シート
２８  第１折線
３６ａ  外側収納部
３６ｂ  外側収納部
４１  内部ポケット
４２  内側収納部
４３  第１収納部
４４  第２収納部
４５  第３収納部
４６  シート体
４７  第１面シート
４８  第２面シート
４９  第３面シート
５０  第４面シート
５１  第１折線
５２  第２折線
５３  第３折線
５４  底部
５５  底部
【図１】
0005430414.tif 000002
【図２】
0005430414.tif 000003
【図３】
0005430414.tif 000004
【図４】
0005430414.tif 000005
【図５】
0005430414.tif 000006
【図６】
0005430414.tif 000007
【図７】
0005430414.tif 000008
【図８】
0005430414.tif 000009